(57)【要約】      （修正有）【課題】電源タップ本体やプラグをそのボックスの中のいずれの面に置いた場合でも、電源タップ本体やプラグから延びるコードの取り出し方向が一方向でなく制約が少なく、かつ、コード入出口でなるべく上下方向に曲げることなく取り出すことができるコード収納ボックスを提供する。【解決手段】コード収納ボックス１は、複数の側面１１〜１４を組み合せた多面体形状であり、複数の側面１１〜１４のうち少なくとも１つの側面（ここでは、上側面１１）が蓋で、電源タップ本体およびプラグを出し入れ可能であると共に、このボックス１の各頂点にはコード２２，３２を内外へ通すコード入出口１８を設けた。なお、各側面１１〜１４の角部には、コーナーピース１７が設けられており、３つの側面それぞれの角部に設けられたコーナーピース１７が組み合わさってそれらの先端部によって囲まれた隙間によって各頂点のコード入出口１８を形成する。【選択図】図８
0003192164.tif 000002
【実用新案登録請求の範囲】
【請求項１】
コンセントが複数設けられた電源タップ本体を収納して、電源タップ本体と、コンセントに差し込まれるプラグとを収納すると共に、電源タップ本体およびプラグから延びるコードを外部へ取り出すコード収納ボックスであって、
そのコード収納ボックスは、
複数の側面を組み合せた多面体形状であり、
複数の側面のうち少なくとも１つの側面が蓋で、電源タップ本体およびプラグを出し入れ可能であると共に、多面体形状の複数の頂点にはコードを内外へ通すコード入出口が設けられていることを特徴とするコード収納ボックス。
【請求項２】
請求項１記載のコード収納ボックスにおいて、
各側面の角部には、コーナーピースが設けられており、
複数の頂点に設けられたコード入出口は、３つの側面それぞれの角部に設けられたコーナーピースが組み合わさって、それらの先端部の隙間によって形成されることを特徴とするコード収納ボックス。
【請求項３】
請求項１または請求項２に記載のコード収納ボックスにおいて、
複数の側面を組み合せた多面体形状は、６つの側面を組み合わせた６面体の長方形状の箱であり、
複数の側面のうち少なくとも１つの側面の蓋は、天井側となる上側面であって着脱可能に構成されていることを特徴とするコード収納ボックス。
【請求項４】
請求項３に記載のコード収納ボックスにおいて、
天井側となる上側面に対し、上端部が着脱可能に連結される前後両側面と左右両側面との内、いずれか一方の両側面は、底面側となる下側面に対し着脱可能であるが外側に開閉不可能で起立状態のまま連結される一方、
他方の両側面は、底面側となる下側面に対し着脱可能でかつ外側に開閉可能に連結されることを特徴とするコード収納ボックス。
【請求項５】
請求項１〜請求項４のいずれか一の請求項に記載のコード収納ボックスにおいて、
各側面の角部に設けられたコーナーピースは、
各側面の角部に装着される合成樹脂からなる基台部と、
基台部の先端に設けられ、隙間によってコード入出口を形成するエラストマー等の弾性体からなるコード入出口形成弾性片とから構成されることを特徴とするコード収納ボックス。
【考案の詳細な説明】
【技術分野】
【０００１】
本考案は、コンセントが複数設けられた電源タップ本体を収納して、電源タップ本体と、コンセントに差し込まれるプラグとを収納すると共に、電源タップ本体およびプラグから延びるコードを外部へ取り出すコード収納ボックスに関する。
【背景技術】
【０００２】
近年、パソコンや携帯電話、スマートフォン、タブレット等の情報通信端末や電気機器の進歩に合わせて、これらの情報通信端末や電気機器に電流を供給するため、会社でも家庭でも、コンセントが３個〜５個以上設けられた電源タップが多用される傾向にある。
【０００３】
そのため、コンセントが複数設けられた電源タップ本体を収納して、電源タップ本体と、コンセントに差し込まれるプラグとを収納して隠すと共に、電源タップ本体およびプラグから延びるコードを外部へ取り出すコード収納ボックスが提案されている（例えば、特許文献１参照。）。
【先行技術文献】
【特許文献】
【０００４】
【特許文献１】実用新案登録第３１０７４６７号公報
【考案の概要】
【考案が解決しようとする課題】
【０００５】
しかし、前記特許文献１に記載のコード収納ボックスは、タップに対向する前側面にのみ複数のコード入出口を設けているため、電源タップ本体やプラグから延びるコードの取り出し方向が一方向になり、不便であるという問題がある。
【０００６】
また、コード入出口は上側面および下側面から離れた高さに設けているため、電源タップ本体から延びるコードがコード入出口で曲がる場合があり、コードにストレスを与える場合がある。
【０００７】
さらに、電源タップ本体のコンセントに差し込まれたプラグのコードも、タップが設けられた後側面に対向する前側面から外側へ出されるので、プラグのコードが延びる方向によっては、そのコードが大きく曲がり、電源タップ本体からプラグが脱落してしまうという問題がある。
【０００８】
そこで、本考案はこのような問題点に鑑みなされたもので、電源タップ本体やプラグをそのボックスの中のいずれの面に置いた場合でも、電源タップ本体やプラグから延びるコードの取り出し方向が一方向でなく制約が少なく、かつ、コード入出口でなるべく上下方向に曲げることなく取り出すことができるコード収納ボックスを提供することを目的とする。
【課題を解決するための手段】
【０００９】
前記課題を解決するため、本考案のコード収納ボックスは、コンセントが複数設けられた電源タップ本体を収納して、電源タップ本体と、コンセントに差し込まれるプラグとを収納すると共に、電源タップ本体およびプラグから延びるコードを外部へ取り出すコード収納ボックスであって、そのコード収納ボックスは、複数の側面を組み合せた多面体形状であり、複数の側面のうち少なくとも１つの側面が蓋で、電源タップ本体およびプラグを出し入れ可能であると共に、多面体形状の複数の頂点にはコードを内外へ通すコード入出口が設けられていることを特徴とする。
ここで、上記コード収納ボックスにおいて、各側面の角部には、コーナーピースが設けられており、複数の頂点に設けられたコード入出口は、３つの側面それぞれの角部に設けられたコーナーピースが組み合わさって、それらの先端部の隙間によって形成すると良い。
また、上記コード収納ボックスにおいて、複数の側面を組み合せた多面体形状は、６つの側面を組み合わせた６面体の長方形状の箱であり、複数の側面のうち少なくとも１つの側面の蓋は、天井側となる上側面であって着脱可能に構成されているとさらに良い。
また、上記コード収納ボックスにおいて、天井側となる上側面に対し、上端部が着脱可能に連結される前後両側面と左右両側面との内、いずれか一方の両側面は、底面側となる下側面に対し着脱可能であるが外側に開閉不可能で起立状態のまま連結される一方、他方の両側面は、底面側となる下側面に対し着脱可能でかつ外側に開閉可能に連結されるとさらに良い。
また、上記コード収納ボックスにおいて、各側面の角部に設けられたコーナーピースは、各側面の角部に装着される合成樹脂からなる基台部と、基台部の先端に設けられ、隙間によってコード入出口を形成するエラストマー等の弾性体からなるコード入出口形成弾性片とから構成するとさらに良い。
【考案の効果】
【００１０】
本考案に係るコード収納ボックスによれば、コード収納ボックスは、複数の側面を組み合せた多面体形状であり、複数の側面のうち少なくとも１つの側面が蓋で、電源タップ本体およびプラグが出し入れ可能であると共に、多面体形状の複数の頂点にはコードを内外へ通すコード入出口を設けたため、電源タップ本体やプラグをそのボックスの中のいずれの面に置いた場合でも、電源タップ本体やプラグから延びるコードの取り出し方向が一方向でなく制約が少なく、かつ、コード入出口でなるべく上下方向に曲げることなく取り出すことができる。
【図面の簡単な説明】
【００１１】
【図１】本考案に係るコード収納ボックスの斜視図である。
【図２】（ａ），（ｂ）それぞれ、本考案に係るコード収納ボックスの平面図、正面図である。
【図３】（ａ），（ｂ）それぞれ、本考案に係るコード収納ボックスの右側面図、底面図である。
【図４】（ａ）〜（ｃ）それぞれ、本考案に係るコード収納ボックスを構成する各側面の４隅に装着するコーナーピースの斜視図、平面図、底面図である。
【図５】（ａ）〜（ｃ）それぞれ、本考案に係るコード収納ボックスを構成する各側面の４隅にコーナーピースを装着した状態を示す部分拡大平面図である。
【図６】本考案に係るコード収納ボックスの上側面を取外し、途中まで開閉自在な前側面と後側面のうち後側面を途中まで開いた状態を示す断面図である。
【図７】本考案に係るコード収納ボックスの中に電源タップを収納し、電源タップとプラグのコードを外へ出した状態を、上側面を取外した状態で示す平面図である。
【図８】本考案に係るコード収納ボックスの底面を下にして置いた場合に電源タップとプラグのコードを外へ出した状態を示す斜視図である。
【図９】本考案に係るコード収納ボックスの右側面を下にして置いた場合に電源タップとプラグのコードを外へ出した状態を示す斜視図である。
【図１０】本考案に係るコード収納ボックスの後側面を下にして置いた場合に電源タップとプラグのコードを外へ出した状態を示す斜視図である。
【考案を実施するための形態】
【００１２】
次に、本考案に係るコード収納ボックスの実施の形態について説明する。
【００１３】
この考案のコード収納ボックス１は、後述する図７に示すようにコンセントが１または複数（図７では、例えば、３つとするが、３つ以外でも勿論良い。）設けられた電源タップ２の電源タップ本体２１や、電源タップ２のコンセントに差し込まれるプラグ３を収納して隠すと共に、電源タップ本体２１およびプラグ３１から延びるコード２２，３２を外部へ出すものである。
【００１４】
コード収納ボックス１は、図１〜図３等に示すように、６つの側面である上側面１１、下側面１２、前側面１３、左側面１４、後側面１５および右側面１６を組み合わせた６面体形状、すなわちボックス形状であり、この６面体の各頂点から電源タップ本体２１およびプラグ３１などを出し入れ可能に構成している。なお、上側面１１および下側面１２の大きさは、例えば、ほぼＡ４サイズとしている。また、６つの側面１１〜１６のうち少なくとも１つの側面（本実施形態の場合、例えば、上側面１１とする。）がこのコード収納ボックス１の着脱可能な蓋になるように連結部分を構成しており、電源タップ本体２１やプラグ３１を内部に簡単に収納したり、それらのーブル２２，３２を内部で纏めることができるように構成している。なお、図１や図２（ｂ）において、１３ａは、蓋である上側面１１が容易に取外しできるよう凹ませた凹部であり、前側面１３だけでなく、左側面１４や、右側面１６、後側面１５等にも設けることができる。
【００１５】
コード収納ボックス１の６つの各側面１１〜１６は、それぞれ、コード収納ボックス１が６面体形状であるので、長方形状または正方形であり、各側面１１〜１６それぞれの４箇所の角部には、それぞれコーナーピース１７を設け、コード収納ボックス１の８箇所の各頂点にはコード２２，３２を内外へ通すコード入出口１８を設けている。つまり、本実施形態のコード収納ボックス１の場合、コード入出口１８を８個設けることになる。
【００１６】
各側面１１〜１６の角部のコーナーピース１７は、図４（ａ）〜（ｃ）に示すように各側面１１〜１６の角部に装着されるＡＢＳ等の合成樹脂からなる基台部１７ａと、基台部１７ａの先端に設けられ、電源タップ本体２１から延びるコード２２や、プラグ３１から延びるコード３２の表面に接触した場合に曲がって多少のコード２２，３２の径の大小に対応可能なエラストマー等のゴム状の弾性体からなるコード入出口形成弾性片１７ｂとを有する。
【００１７】
コーナーピース１７の基台部１７ａには、図４（ａ）〜（ｃ）に示すように各側面１１〜１６の４つの隅部（角部）に装着できるように嵌る爪部１７ａ１，１７ａ２と、爪部１７ａ１，１７ａ２間に差込部１７ａ３とを設ける一方、各側面１１〜１６の４つの隅部（角部）には、それぞれ図５に示すようにコーナーピース１７の基台部１７ａの爪部１７ａ１，１７ａ２が嵌る凸部１９ａ１，１９ａ２と、差込部１７ａ３先端部を上下方向で挟んで保持する断面コ字状の挟持部１９ａ３とを有する。
【００１８】
そのため、コーナーピース１７は、それぞれ各側面１１〜１６の４つの隅部（角部）に簡単に装着することができる。
【００１９】
その結果、６つの各側面１１〜１６には、それぞれ、４箇所の隅部（角部）にコーナーピース１７を装着することになるため、コード収納ボックス１全体では、２４個のコーナーピース１７が使用されることになり、コード収納ボックス１の８箇所の各頂点では、後述する図８〜図１０に示すようにそれぞれ３枚の各側面角部のコーナーピース１７が３つ寄り集まってコード２２，３２を内外へ通すコード入出口１８を形成する。
【００２０】
これにより、コード収納ボックス１の８箇所の各頂点では、３枚の各側面角部のコーナーピース１７が３つ寄り集まって形成されたコード入出口１８によって、電源タップ本体２１から延びるコード２２だけでなく、電源タップ本体２１のコンセントに差し込まれたプラグ３１から延びるコード３２を外部へ出すため、８箇所の各頂点からバランス良く放射状にコード２２，３２を取り出すことができる。
【００２１】
また、コード収納ボックス１の８箇所の各頂点において３枚の各側面における角部のコーナーピース１７先端のコード入出口形成弾性片１７ｂがコード２２，３２の表面に弾接する場合には、３点支持で各コード２２，３２を支持することが可能になり、コーナーピース１７が寄り集まって形成された各コード入出口１８においてコード２２，３２を確実に支持することが可能となる。
【００２２】
特に、この実施形態のコード収納ボックス１では、コード入出口１８を構成する３枚の各側面角部のコーナーピース１７それぞれのコード入出口形成弾性片１７ｂは、エラストマー等のゴム状の弾性体から構成されているため、コード入出口１８の大きさよりもコード２２，３２の径が多少大きくなったとしても、各コーナーピース１７それぞれのコード入出口形成弾性片１７ｂが弾性変形してコード入出口１８の大きさを追従することが可能であるので、コード２２，３２の径の変更に対しても柔軟に対応することができる。
【００２３】
また、複数の側面１１〜１６を組み合せた多面体形状は、６つの側面である上側面１１、下側面１２、前側面１３、左側面１４、後側面１５および右側面１６を組み合わせた６面体の長方形状の箱であり、複数の側面１１〜１６のうち少なくとも１つの側面（ここでは、上側面１１としている。）を蓋にして着脱可能に構成する一方、上側面１１以外の５つの側面１２〜１６の内、左側面１４と右側面１６は、図６に示すように下側面１２に対し周知の連結部１９ａ４により上方に着脱可能であるが、外側に開閉不可能で起立状態のまま連結される。
【００２４】
これに対し、前側面１３と後側面１５は、図６に示すように下側面１２に対しそれらの連結部１９ａ４’により着脱可能でかつ外側に所定の角度、例えば、４５度程度まで開閉可能に連結される。
【００２５】
また、前側面１３、左側面１４、後側面１５および右側面１６は、図６に示すようにそれぞれの両端部において雄・雌の周知の連結部１９ａ５によって嵌ってロックされ、かつ、それぞれの上端部の雌側の周知の連結部１９ａ６によって上側面１１の図示していない周知の雄側の連結部に嵌って蓋にすることができる。
【００２６】
これにより、コード収納ボックス１の８箇所の各頂点のコード入出口１８から電源タップ本体２１とプラグ３１のコード２２，３２を取り出す際、左側面１４と右側面１６は下側面１２に対し起立する一方、前側面１３と後側面１５は下側面１２に対し所定の角度（例えば、４５度程度）まで開閉するため、各頂点のコード入出口１８へのコード２２，３２の設置や引き回しを迅速かつ容易に行うことができる。
【００２７】
つまり、図６に示すように蓋である上側面１１を取外し、前側面１３と後側面１５とを図６に示すように下側面１２に対しそれらの連結部１９ａ４’を介し４５度程度まで開いて電源タップ本体２１を下側面１２の上に置くと、電源タップ本体２１から延びるコード２２は、下側面１２の４隅のいずれかのコード入出口１８から外に出す。
【００２８】
その後、下側面１２に対し開いていた前側面１３と後側面１５を、図７に示すように下側面１２に対し９０度に立ち上げて箱状態にし、その後その開口部を上側面１１で蓋をする。
【００２９】
すると、図８に示すように、コード収納ボックス１の下側面１２を底側、すなわちコード収納ボックス１の上側面１１を天井側にして床や机の上に置いた場合でも、コード収納ボックス１から外に出した電源タップ２のコード２２は、下側面１２の４隅のいずれかのコード入出口１８から外に出して、床や机の上に沿って延ばすことができる。この際、電源タップ２のタップ本体２１は、上述したようにコード収納ボックス１の下側面１２上に置いている。そのため、コード収納ボックス１の上側面１２を底側にして設置した場合でも、電源タップ本体２１から延びるコード２２はコード入出口１８でなるべく上下方向に曲げることなく取り出すことができる。なお、このことは、コード収納ボックス１の上側面１１を底側にして床や机の上に置いた場合でも同様である。
【００３０】
また、図９に示すように、コード収納ボックス１の右側面１６を底側、すなわちコード収納ボックス１の左側面１４を天井側にして床や机の上に置いた場合でも、コード収納ボックス１から外に出した電源タップ２のコード２２は、右側面１６の４隅のいずれかのコード入出口１８から外に出して、床や机の上に沿って延ばすことができる。この際、電源タップ２のタップ本体２１は、コード収納ボックス１の左側面１４上に置いている。そのため、コード収納ボックス１の右側面１６を底側にして設置した場合でも、電源タップ本体２１から延びるコード２２はコード入出口１８でなるべく上下方向に曲げることなく取り出すことができる。このことは、コード収納ボックス１の左側面１４を底側にして床や机の上に置いた場合でも同様である。
【００３１】
また、図１０に示すように、コード収納ボックス１の後側面１５を底側、すなわちコード収納ボックス１の前側面１３を天井側にして床や机の上に置いた場合でも、コード収納ボックス１から外に出した電源タップ２のコード２２は、後側面１５の４隅のいずれかのコード入出口１８から外に出して、床や机の上に沿って延ばすことができる。この際、電源タップ２のタップ本体２１は、コード収納ボックス１の後側面１５上に置いている。そのため、コード収納ボックス１の後側面１５を底側にして設置した場合でも、電源タップ本体２１から延びるコード２２はコード入出口１８でなるべく上下方向に曲げることなく取り出すことができる。このことは、コード収納ボックス１の前側面１３を底側にして床や机の上に置いた場合でも同様である。
【００３２】
従って、本考案に係るコード収納ボックス１によれば、コード収納ボックス１は、複数の側面１１〜１６を組み合せた多面体形状であり、複数の側面１１〜１６のうち少なくとも１つの側面１１〜１６が蓋で、電源タップ本体２１およびプラグ３１を出し入れ可能であると共に、多面体形状の各頂点にコード２２，３２を内外へ通すコード入出口１８を設けたため、電源タップ本体２１やプラグ３１をそのボックスの中のいずれの面に置いた場合でも、電源タップ本体２１やプラグ３１から延びるコード２２，３２を、いずれかのコード入出口１８から取り出すことができる。
【００３３】
その結果、電源タップ本体２１やプラグ３１から延びるコード２２,３２の取り出し方向が一方向でなく、放射状に取り出すことが可能となり、制約が少なくなるので、これらのコード２２，３２をなるべくコード入出口１８でなるべく上下方向に無理に曲げて余計な負荷をかけることなく取り出すことができる。
【００３４】
特に、このコード収納ボックス１では、各側面１１〜１６の角部には、コーナーピース１７が設けられており、３つの側面それぞれの角部に設けられたコーナーピース１７が組み合わさってそれらの先端部によって囲まれた隙間によって各頂点のコード入出口１８を形成するため、コーナーピース１７先端のコード入出口形成弾性片１７ｂがコード２２，３２の表面に弾接する場合には、３点支持で各コード２２，３２を支持することが可能になり、コーナーピース１７が寄り集まって形成された各コード入出口１８においてコード２２，３２を確実に支持することが可能となる。
【００３５】
また、このコード収納ボックス１において、複数の側面１１〜１６を組み合せた多面体形状は、６つの側面を組み合わせた６面体の長方形状の箱であり、複数の側面１１〜１６のうち少なくとも１つの側面である天井側の上側面１１を蓋として着脱可能に構成したため、タップ本体２１やプラグ３１の収納がとても簡単になる。
【００３６】
また、上側面１１以外の５つの側面１２〜１６の内、左側面１４と右側面１６は、図６に示すように下側面１２に対しそれらの連結部１９ａ４により上方に着脱可能であるが、外側に開閉不可能で起立状態のまま連結する一方、前側面１３と後側面１５は、図６に示すように下側面１２に対しそれらの連結部１９ａ４’により着脱可能でかつ外側に所定の角度、例えば、４５度程度まで開閉可能に連結したため、タップ本体２１やプラグ３１の収納が簡単になるだけでなく、各頂点のコード入出口１８へのコード２２，３２の設置や引き回しを迅速かつ容易に行うことができる。
【００３７】
また、各側面１１〜１６の色と、各側面１１〜１６の角部に設けられたコーナーピース１７の色とを変えると、各側面１１〜１６の色と、コーナーピース１７の色とのツートンカラーになり、デザイン上も良好になる。
【００３８】
なお、上記実施形態の説明では、コード収納ボックス１は、上側面１１および下側面１２の大きさをほぼＡ４サイズとして説明したが、本発明ではこれに限らず、上側面１１および下側面１２の大きさをほぼＡ４サイズの半分サイズとしても良いし、さらにはＢ５サイズ等、適宜のサイズにすることができる。
【００３９】
また、コード収納ボックス１の形状も、本発明では、複数の側面を組み合せた多面体形状であれば十分で、三角形の側面が３面からなる四面体や、六面体、八面体、十ニ面体の他、二十面体等でも良いし、サッカーボールのような多面体でも良いし、さらには、その側面が湾曲していても良く、要は、コード収納ボックス１の形状が多面体形状であって、複数の側面のうち少なくとも１つの側面が蓋で、電源タップ本体およびプラグを出し入れ可能であると共に、多面体形状の複数の頂点にコードを内外へ通すコード入出口が設けられていれば良い。
【００４０】
また、本実施形態のコード収納ボックス１では、８個の各頂点に全てコード入出口１８を設けて説明したが、本発明では、これに限らず、８個の各頂点のうち６個や７個など、全ての頂点にコード入出口１８を設けなくても勿論良い。
【符号の説明】
【００４１】
１  コード収納ボックス
１１  上側面
１２  下側面
１３  前側面
１４  左側面
１５  後側面１５
１６  右側面１６
１７  コーナーピース
１７ａ  基台部
１７ａ１，１７ａ２  爪部
１７ａ３  差込部
１７ｂ  コード入出口形成弾性片
１８  コード入出口
１９ａ１，１９ａ２  凸部
１９ａ３  挟持部
２  電源タップ
２１  電源タップ本体
２１ａ  コンセント
２２  コード
３１  プラグ
３２  コード
【図１】
0003192164.tif 000003
【図２】
0003192164.tif 000004
【図３】
0003192164.tif 000005
【図４】
0003192164.tif 000006
【図５】
0003192164.tif 000007
【図６】
0003192164.tif 000008
【図７】
0003192164.tif 000009
【図８】
0003192164.tif 000010
【図９】
0003192164.tif 000011
【図１０】
0003192164.tif 000012